(57)【要約】【課題】高耐圧性・堅牢性・耐久性に優れているとともに、圧縮荷重下や土中の余剰水の急激な増加があってもドレーン材に集水された水の排水を確実に行うことができ、軽量且つ施工性も良好であるドレーン材を提供する。【解決手段】多数の突起を設けたプラスチック製のキャップシート１、その突起の底面に貼り合わせた平坦なプラスチック製のバックシート２、および突起の頂（頂上部１４）を連ねて貼り合わせた平坦なプラスチック製のライナーシート３からなる三層構成の気泡ボード１０である。気泡ボード１０の非接地面及び接地面に、多数の孔２０，２２が配設されている。【選択図】図１
2005054441.tif 000002
【特許請求の範囲】
【請求項１】
多数の突起を設けたプラスチック製のキャップシート、その突起の底面に貼り合わせた平坦なプラスチック製のバックシート、および突起の頂を連ねて貼り合わせた平坦なプラスチック製のライナーシートからなる三層構成の気泡ボードであって、
前記気泡ボードの非接地面及び接地面に、多数の孔が配設されてなることを特徴とするドレーン材。
【請求項２】
前記気泡ボードの非接地面に配設された孔の径が、前記気泡ボードの接地面に配設された孔の径の１．１〜５．４倍である請求項１に記載のドレーン材。
【請求項３】
前記気泡ボードの非接地面に配設された孔と、気泡ボードの接地面に配設された孔とが、気泡ボードの接地面及び非接地面で貫通しないように配置されている請求項１又は２に記載のドレーン材。
【請求項４】
前記プラスチックが、ポリエチレンテレフタレート、ポリオレフィン又はポリカーボネートである請求項１〜３のいずれか１項に記載のドレーン材。
【発明の詳細な説明】
【技術分野】
【０００１】
本発明は、道路、グランド、斜面、堰堤などにおける土中の集排水工事等の土木建設現場で用いるドレーン材に関する。
【背景技術】
【０００２】
従来から、道路、グランド、斜面、堰堤などにおける土中の集排水工事には、地盤中の余剰水を排出し、地盤の安定化を行うドレーン材が用いられている。
【０００３】
上記ドレーン材としては、例えば、金属製、コンクリート製又はプラスチック製の有孔管、多孔質管又は板状物や上記有孔管、多孔質管又は板状物の周囲に不織布を貼り付けたものが主に使用されている。
【０００４】
しかしながら、金属製やコンクリート製のドレーン材は、高耐圧性、堅牢性及び耐久性に優れているが、それ自体の重量が重く、輸送や施工時の取り扱い性が悪いという問題があった。
【０００５】
一方、プラスチック製のドレーン材は、金属製管やコンクリート製のものと比較して、軽量であり、輸送や施工時の取り扱い性に優れている反面、土圧等の載荷（圧縮）荷重によってドレーン材が容易に圧壊してしまい、排水能力や透水・保水能力を喪失してしまうため、実使用時における高耐圧性、堅牢性及び耐久性に問題があった。
特に、塩化ビニル製のドレーン材は、土圧に耐えられないことが知られている。
【０００６】
また、ドレーン材中に急激に土粒子と水が侵入してきた場合、ドレーン材に土粒子の細密充填が生じ、ドレーン材の孔や通水路が目詰まりし易いため、ドレーン材の排水能力が著しく低下するという問題があった。
【発明の開示】
【発明が解決しようとする課題】
【０００７】
本発明は、このような従来技術の有する課題に鑑みてなされたものであり、その目的とするところは、高耐圧性・堅牢性・耐久性に優れているとともに、圧縮荷重下や土中の余剰水の急激な増加があってもドレーン材に集水された水の排水を確実に行うことができ、軽量且つ施工性も良好であるドレーン材を提供することにある。  
【課題を解決するための手段】
【０００８】
すなわち、本発明によれば、多数の突起を設けたプラスチック製のキャップシート、その突起の底面に貼り合わせた平坦なプラスチック製のバックシート、および突起の頂を連ねて貼り合わせた平坦なプラスチック製のライナーシートからなる三層構成の気泡ボードであって、前記気泡ボードの非接地面及び接地面に、多数の孔が配設されてなることを特徴とするドレーン材が提供される。
【０００９】
このとき、本発明では、気泡ボードの非接地面に配設された孔の径が、気泡ボードの接地面に配設された孔の径の１．１〜５．４倍であることが好ましい。  
【００１０】
また、本発明では、気泡ボードの非接地面に配設された孔と、気泡ボードの接地面に配設された孔とが、気泡ボードの接地面及び非接地面で貫通しないように配置されていることが好ましい。
【００１１】
尚、本発明で用いるプラスチックは、ポリエチレンテレフタレート又はポリエチレンであることが好ましい。
【発明の効果】
【００１２】
本発明のドレーン材は、高耐圧性・堅牢性・耐久性に優れているとともに、圧縮荷重下や土中の余剰水の急激な増加があってもドレーン材に集水された水の排水を確実に行うことができ、軽量且つ施工性も良好である。
【発明を実施するための最良の形態】
【００１３】
以下、本発明の実施の形態を図面に基づいて更に詳細に説明する。
図１及び図２は本発明のドレーン材の各例を示すものであり、（ａ）は概略斜視図、（ｂ）は（ａ）のＡ−Ａ断面図である。
【００１４】
本発明のドレーン材は、図１（ａ）（ｂ）及び図２（ａ）（ｂ）に示すように、多数の突起を設けたプラスチック製のキャップシート１、その突起の底面に貼り合わせた平坦なプラスチック製のバックシート２、および突起の頂（頂上部１４）を連ねて貼り合わせた平坦なプラスチック製のライナーシート３からなる三層構成の気泡ボード１０であって、気泡ボード１０の非接地面及び接地面に、多数の孔２０，２２が配設されてなるものである。
【００１５】
尚、本発明のドレーン材は、気泡ボード１０のキャップシート１とライナーシート３との間で、気泡ボード１０の側面に流通する通水路２４が形成されており、気泡ボード１０の側面への排水を可能としている。
【００１６】
ここで、本発明のドレーン材は、上記気泡ボード１０を採用することにより、土圧等の載荷（圧縮）荷重によってドレーン材が容易に圧壊してしまい、排水能力や透水・保水能力を喪失してしまうことがないため、実使用時における高耐圧性、堅牢性及び耐久性に優れているとともに、軽量且つ施工性も良好である。
【００１７】
また、本発明のドレーン材は、図３に示すように、気泡ボード１０の非接地面に配設された孔２０の径Ｄが、接地面に配設された孔２２の径ｄよりも大きいことが好ましい。
ただし、Ｄがｄに対して大きすぎると、重力方向に流入する水量が接地面の孔から排出される水量を上回り、非接地面側に水が溢れてしまうため好ましくない。
このため、本発明のドレーン材は、１．１ｄ≦Ｄ≦５．４ｄの関係を満たすことが好ましい。
【００１８】
これにより、本発明のドレーン材は、例えば、図４に示すように、気泡ボード１０の非接地面に配設された多数の孔２０から流入した地盤中の余剰水（矢印［１］参照）を逆流させることなく、余剰水の大部分を通水路２４で気泡ボード１０の側面へ排水することができる（矢印［２］参照）とともに、圧縮荷重下や地盤中の余剰水の急激な増加があっても、通水路２４から溢れた余剰水が、気泡ボード１０の非接地面に配設された多数の孔２０へ逆流することなく、気泡ボード１０の接地面に配設された多数の孔２２から排出することができる（矢印［３］参照）。
【００１９】
更に、本発明のドレーン材は、例えば、図１（ａ）（ｂ）に示すように、気泡ボード１０の非接地面に配設された孔２０の位置及び配列を、気泡ボード１０の接地面に配設された孔２２と同じように配置することが好ましい。
また、図２（ａ）（ｂ）に示すように、気泡ボード１０の非接地面に配設された孔２０の位置及び配列を、気泡ボード１０の接地面に配設された孔２２と互い違いになるように配置してもよく、更に詳細には、気泡ボード１０の非接地面に配設された孔２０と、気泡ボード１０の接地面に配設された孔２２とを、気泡ボード１０の接地面及び非接地面で貫通しないように配置してもよい。
【００２０】
本発明で用いる気泡ボードは、図１（ａ）及び図２（ａ）に示すように、多数の突起を設けたプラスチック製のキャップシート１、その突起の底面に貼り合わせた平坦なプラスチック製のバックシート２、および突起の頂を連ねて貼り合わせた平坦なプラスチック製のライナーシート３とを熱溶着した三層中空積層体からなるものであり、キャップシート１とバックシート２との熱溶着により、真空成形された気泡１２が多数形成される。
【００２１】
これにより、上記気泡ボードは、独特の中空構造により、非常に軽量であり、平面圧縮強度、耐衝撃性、緩衝効果、熱遮断効率に優れているとともに、縦横の強度差がないため、どの方向にも加工することができる。
尚、本発明の用いる気泡ボードの気泡の配置は、千鳥状であることが一般的であるが、特に限定されるものでない。
【００２２】
尚、上記気泡ボードに用いるプラスチックは、特に限定されないが、ポリエチレンテレフタレート（ＰＥＴ）、ポリオレフィン又はポリカーボネートであることが好ましい。
【００２３】
また、上記プラスチックは、難燃性を要求される場合、プラスチックに難燃剤を混練して使用することが好ましい。
難燃剤としては、これまでしばしば使用されてきたハロゲン系のものでもよいが、近年の環境に対する配慮に鑑みれば、ポリリン酸アンモニウムのようなリン酸系のものや、水酸化マグネシウム、水酸化アルミニウムなどの含水物系のものが好ましい。
【００２４】
更に、上記プラスチックは、原料にダイオキシン抑制剤の活性フェロキサイドや焼成ドロマイトを添加しても良い。
活性フェロキサイドは、燃焼温度を高め、合成樹脂の不完全燃焼によるベンゼン環の発生を抑制する効果があり、また、焼成ドロマイトには、塩素の吸着効果のあることが知られている。
【００２５】
これにより、上記プラスチックは、耐水性、防湿性、耐薬品性に優れているとともに、リサイクルも可能であり、焼却されても塩化水素・ダイオキシンが発生しないため、環境保全に寄与することができる。
【産業上の利用可能性】
【００２６】
本発明のドレーン材は、道路、グランド、斜面、堰堤などにおける土中の集排水工事等の土木建設現場で用いることができる。
【図面の簡単な説明】
【００２７】
【図１】本発明のドレーン材の一例を示すものであり、（ａ）は概略斜視図、（ｂ）は（ａ）のＡ−Ａ断面図である。
【図２】本発明のドレーン材の他の例を示すものであり、（ａ）は概略斜視図、（ｂ）は（ａ）のＡ−Ａ断面図である。
【図３】本発明のドレーン材の非接地面及び接地面に配設された孔の径の大きさの一例を示す模式断面図である。
【図４】本発明のドレーン材の排水経路を示す説明図である。
【符号の説明】
【００２８】
１…キャップシート、２…バックシート、３…ライナーシート、１０…気泡ボード、１２…気泡、１４…頂上部、１６…底面部、２０…孔（非接地面）、２２…孔（接地面）、２４…通水路。
【図１】
2005054441.tif 000003
【図２】
2005054441.tif 000004
【図３】
2005054441.tif 000005
【図４】
2005054441.tif 000006